(57)【要約】【課題】  データを編集することによって作成指示がなされる製品（例えば、アルバム）の編集データの再編集時に、その編集データの編集段階がどの段階まで進んでいるのかを把握可能とする。【解決手段】  ユーザ端末１０２は、データ編集処理により生成された編集データを保存するとともに、保存する各編集データに係るデータ編集状況を管理する。そして、ユーザ端末１０２は、その管理内容に基づいて、保存される各編集データに係るデータ編集状況を示す情報を出力する。【選択図】  図１
2006163938.tif 000002
【特許請求の範囲】
【請求項１】
製品作成のためのデータ編集処理を行う編集手段と、
前記編集手段によるデータ編集処理により生成された編集データを保存する保存手段と、
前記保存手段に保存される各編集データに係るデータ編集状況を管理する管理手段と、
前記管理手段による管理内容に基づいて、前記保存手段に保存される各編集データに係るデータ編集状況を示す情報を出力する出力手段とを有することを特徴とする情報処理装置。
【請求項２】
前記出力手段は、前記編集手段により所定のデータ編集処理が終了している編集データについては前記製品を表す画像データを生成し、当該編集データに係るデータ編集状況を示す情報として出力することを特徴とする請求項１に記載の情報処理装置。
【請求項３】
前記出力手段は、前記編集手段により所定のデータ編集処理が終了している編集データについては、前記所定のデータ編集処理が終了するまでに選択された一部の画像データを含む前記製品を表す画像データを生成し、当該編集データに係るデータ編集状況を示す情報として出力することを特徴とする請求項１に記載の情報処理装置。
【請求項４】
前記出力手段は、前記編集手段により前記所定のデータ編集処理が終了していない編集データについては、当該編集データに係るデータ編集状況を示す文字情報を出力することを特徴とする請求項２又は３に記載の情報処理装置。
【請求項５】
前記製品は、アルバムであることを特徴とする請求項１乃至４の何れか１項に記載の情報処理装置。
【請求項６】
製品作成のためのデータ編集処理を行う編集手段と、前記編集手段によるデータ編集処理により生成された編集データを保存する保存手段とを有する情報処理装置による情報処理方法であって、
前記保存手段に保存される各編集データに係るデータ編集状況を管理する管理ステップと、
前記管理ステップによる管理内容に基づいて、前記保存手段に保存される各編集データに係るデータ編集状況を示す情報を出力する出力ステップとを含むことを特徴とする情報処理方法。
【請求項７】
請求項６に記載の情報処理方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、例えば、アルバム編集アプリケーションを用いてアルバムの編集作業を行い、その編集の進捗状況を把握可能な情報処理装置及び情報処理方法に関するものである。
【背景技術】
【０００２】
近年、テンプレートデータをサーバからパーソナルコンピュータ等のユーザ端末にダウンロードし、ユーザはテンプレートデータに画像データや文字データ等を配置してアルバム等の印刷物を編集することが可能なプリントシステムが提供されている。
【０００３】
ユーザ端末上で編集されたデータはサーバに送信され、サーバは受信した編集データをプリントサイトに転送し、当該プリントサイトを提供するプリント業者においてアルバム等の印刷物が作成される。
【０００４】
【特許文献１】特開２００３-２９６４３４号公報
【発明の開示】
【発明が解決しようとする課題】
【０００５】
しかしながら、ユーザは、ユーザ端末上でアルバム等の印刷物の編集途中に諸事情により編集処理を中断させたい場合がある。その場合、編集過程にあるデータは保存され、再編集時に所望のアルバムのデータを読み出して編集作業を再開することになるが、再編集処理対象となるアルバム選択時に各アルバムが現在どの段階まで作業が進んでいるのか把握できることが望ましい。
【０００６】
そこで、本発明の目的は、例えば製品（例えば、アルバム）の編集データの再編集時に、その編集データの編集段階がどの段階まで進んでいるのかを把握可能とすることにある。
【課題を解決するための手段】
【０００７】
本発明の情報処理装置は、製品作成のためのデータ編集処理を行う編集手段と、前記編集手段によるデータ編集処理により生成された編集データを保存する保存手段と、前記保存手段に保存される各編集データに係るデータ編集状況を管理する管理手段と、前記管理手段による管理内容に基づいて、前記保存手段に保存される各編集データに係るデータ編集状況を示す情報を出力する出力手段とを有することを特徴とする。
【０００８】
本発明の情報処理方法は、製品作成のためのデータ編集処理を行う編集手段と、前記編集手段によるデータ編集処理により生成された編集データを保存する保存手段とを有する情報処理装置による情報処理方法であって、前記保存手段に保存される各編集データに係るデータ編集状況を管理する管理ステップと、前記管理ステップによる管理内容に基づいて、前記保存手段に保存される各編集データに係るデータ編集状況を示す情報を出力する出力ステップとを含むことを特徴とする。
【０００９】
本発明のプログラムは、前記情報処理方法をコンピュータに実行させることを特徴とする。
【００１０】
本発明のコンピュータ読み取り可能な記録媒体は、前記プログラムを記録したことを特徴とする。
【発明の効果】
【００１１】
本発明によれば、各編集データに係るデータ編集状況を管理し、その管理内容に基づいて各編集データに係るデータ編集状況を示す情報を出力するように構成したので、例えば製品（例えば、アルバム）の編集データの再編集時に、その編集データの編集段階がどの段階まで進んでいるのかを把握することが可能となる。
【発明を実施するための最良の形態】
【００１２】
以下、本発明を適用した好適な実施形態を、添付図面を参照しながら詳細に説明する。
【００１３】
図１は、本発明の一実施形態に係るプリントシステムの概略構成を示す図である。
図１に示すプリントシステムは、高品位な印刷物の作成に有効なテンプレートデータを保持してユーザ端末１０２に提供するとともに、ユーザ端末１０２からの印刷物の受注、決算等を管理するためのサーバ１０１、サーバ１０１からテンプレートデータをダウンロードし、ダウンロードしたテンプレートデータに基づいて所望の編集データを作成し、発注処理を行うユーザ端末１０２、及び、ユーザ端末１０２からの発注内容に基づいて実際に製本等を行うプリント業者が提供するプリントサイト１０３〜１０５がインターネットを介して接続されている。尚、図１に示すネットワーク構成は飽くまでも一例であり、ユーザ端末、プリントサイトの数等、適宜様々な構成を採り得ることは勿論である。
【００１４】
サーバ１０１は、テンプレートデータを保持するテンプレート保持部１０１１、アルバムの受注管理情報、課金情報及び決済情報等を保持する管理情報データベース１０１２、シェアリング部１０１３、アルバムの受注結果を管理するオーダ管理部１０１４、アルバムの受注に伴う課金処理を行う課金処理部１０１５、及び、決済処理を行う決済処理部１０１６を備える。なお、シェアリング部（フォトシェアリングモジュール）１０１３は、ユーザ端末１０２から送信された画像を、その属性情報とともにデータベース（図示せず）や属性情報データベース１０１２に保管したり、画像のプリントアウトをプリントサイト１０３に依頼する際に、属性情報データベース１０１２を参照して、プリントアウトの依頼元の電子アルバムをデータベースから読み出して、プリントサイト１０３に送信したりする等の処理を行うためのソフトウェアである。
【００１５】
ユーザ端末１０２は、サーバ１０１からダウンロードしたテンプレートデータを保持するテンプレート保持部１０２１、アルバム編集アプリケーション１０２２、及び、編集済み又は編集過程のアルバムの編集データを保持するユーザデータ保持部１０２３を備える。
【００１６】
プリントサイト１０３（１０４、１０５）は、サーバ１０１から転送されるアルバムの編集データを保持するデータベース１０３１（１０４１、１０５１）、データベース１０３１（１０４１、１０５１）に保持される編集データの印刷処理を行う印刷処理部１０３３（１０４３、１０５３）、及び、印刷処理に関する課金を行う課金処理部１０３２（１０４２、１０５２）を備える。
【００１７】
図２は、サーバ１０１のハードウェア構成を示す図である。
図２において、２０１はＣＲＴ（表示装置）であり、その表示画面には、例えば編集中の文書、図形、画像その他の編集情報、アイコン、メッセージ、メニューその他のユーザインタフェース情報が表示される。
【００１８】
２０２はＶＲＡＭであり、ＣＲＴ２０１の表示画面に表示するための画像が描画される。このＶＲＡＭ２０２に生成された画像データは、所定の規定に従ってＣＲＴ２０１に転送され、これによりＣＲＴ２０１に画像が表示される。
【００１９】
２０３はビットムーブユニット（ＢＭＵ）であり、例えば、メモリ間（例えば、ＶＲＡＭ２０２と他のメモリ）のデータ転送や、メモリと各Ｉ／Ｏデバイス（例えば、ネットワークインタフェース２１１）との間のデータ転送を制御する。
【００２０】
２０４は、キーボードであり、文書等を入力するための各種キーを有する。２０５はポインティングデバイスであり、例えば、ＣＲＴ２０１の表示画面上に表示されたアイコン、メニューその他のオブジェクトを指示するために使用される。
【００２１】
２０６はＣＰＵであり、ＲＯＭ２０７、ハードディスク又はフレキシブルディスクに格納された制御プログラムに基づいてＣＰＵデバイスに接続された各デバイスを制御する。
【００２２】
２０７はＲＯＭであり、各種の制御プログラムやデータを保持する。２０８はＲＡＭであり、ＣＰＵ２０６のワーク領域、エラー処理時のデータの退避領域、制御プログラムのロード領域等を有する。
【００２３】
２０９はハードディスクドライブ（ＨＤＤ）である。ハードディスク２０９は、情報処理装置等で実行される各制御プログラムやコンテンツを格納することができる。例えば、ユーザＰＣ１０２のハードディスクには、電子アルバムデータ、アルバム編集プログラム等が格納されている。
【００２４】
２１０はフレキシブルディスクドライブ（ＦＤＤ）であり、フレキシブルディスクに対するアクセスを制御する。２１１はネットワークインタフェースであり、他の情報処理装置やプリンタ等と通信を行うことができる。
【００２５】
２１２はＣＰＵバスであり、アドレスバス、データバス及びコントロールバスを含む。ＣＰＵ２０６に対する制御プログラムの提供は、ＲＯＭ２０７、ハードディスク、フレキシブルディスクから行うこともできるし、ネットワークインタフェース２１１を介して他の情報処理装置等から行うこともできる。
【００２６】
次に、図３のフローチャートを参照しながら、ユーザ端末１０１の動作について説明する。
ユーザ端末１０２は、ステップＳ３０１のユーザからの操作指示を受けて不図示の商品選択画面をＣＲＴ２０１上に表示する。商品選択画面上においては、アルバムを含む複数の商品のうちから所望の商品を選択することが可能である。ここではユーザによってアルバムが選択されたものとする。
【００２７】
ユーザによってアルバムが選択されると、ユーザ端末１０２は、ネットワークインタフェース２１１を介してサーバ１０１に対してアクセスすることにより、ＣＲＴ２０１上に図６に示すようなテンプレート選択画面を表示させる。
【００２８】
ユーザが、テンプレート選択画面上で所望のテンプレートを選択して「テンプレートのダウンロード」ボタン６０１を押下すると、選択されたテンプレートの取得指示情報がユーザ端末１０２からサーバ１０１に対してネットワークインタフェース２１１を介して返信される。
【００２９】
ＣＰＵ２０６は、上記取得指示情報に対応するテンプレートデータをサーバ１０１からダウンロードすると、ＨＤＤ２０９内に格納させる。
【００３０】
ＨＤＤ２０９内に格納されるテンプレートデータから所望のテンプレートデータがユーザによって選択されると、選択されたテンプレートデータはＨＤＤ２０９からＶＲＡＭ２０８に読み込まれ（ステップＳ３０２：テンプレート選択工程）、ＣＲＴ２０１上において例えば図７に示す編集画面として表示される。
【００３１】
また、ＨＤＤ２０９内には、デジタルカメラ等で撮影された画像データも格納されており、格納されている画像データのうちから、ユーザが当該アルバムに掲載する所望の画像データが選択される。ここで選択された画像データもＶＲＡＭ２０８に読み込まれ、図７に示す編集画面上に併せて表示される（ステップＳ３０３：画像選択工程）。
【００３２】
ユーザは、編集画面上でアルバムの編集作業を行う（ステップＳ３０４：編集工程）。図７中の７０１は、テンプレートデータ表示領域であり、画像データを配置するための枠Ａ、枠Ｂ及び文字データを配置するための枠ａ、枠ｂを備える。７０２は、ユーザによって選択された画像データの一覧を表示する画像データ表示領域である。
【００３３】
ここで、テンプレートデータ表示領域に画像データ及び文字データを配置する枠を設定するための処理について説明する。図１０は、画像データ割り付けテーブルの構成を模式的に示す図である。（ａ）に示すように画像データ割り付けテーブルは５枚割り付けマトリックスデータ〜２１枚割り付けマトリックスデータを備え、また（ｂ）に示すように、各マトリックスデータは、ページ毎に割り付け可能な画像枚数が設定されている。
【００３４】
例えば、ユーザによって選択されたテンプレートデータが２１枚の画像を割り付け可能なテンプレートデータである場合、ＣＰＵ２０６は、ＨＤＤ２０９からＲＡＭ２０８に読み込まれた図１０に示す画像データ割り付けテーブル内の２１枚用マトリックスデータを参照し、各ページに割り付ける画像枚数データを取得する。即ち、２１枚用マトリックスデータにおいて１ページ目に割り付け可能な画像枚数は２枚、２、３ページ目に割り付け可能な画像枚数は５枚、４、５ページ目に割り付け可能な画像枚数は２枚、・・・、２１ページ目に割り付け可能な画像枚数が２枚である。
【００３５】
上記のように、２１枚の画像を割り付け可能なテンプレートデータが選択された場合、１ページ目に割り付け可能な画像枚数は２枚、２、３ページ目に割り付け可能な画像枚数は５枚、４、５ページ目に割り付け可能な画像枚数は２枚、・・・、１２ページ目に「割り付け可能な画像枚数は２枚であることが図１０の画像データ割り付けテーブルから判断される。図１４のレイアウトファイルの構成図を参照するに、１ページに割り付け可能な画像枚数が２枚である場合のレイアウトデータ（１ページ目２枚用レイアウトデータ）、２、３ページ目に割り付け可能な画像枚数が５枚である場合のレイアウトデータ（２、３ページ目５枚用レイアウトデータ）・・・が存在する。ＣＰＵ２０６は、各ページについて該当するレイアウトデータを参照することにより、編集画面上のテンプレートデータ表示領域におけるレイアウトを決定し、図７に示すような編集画面を表示する。
【００３６】
尚、図７では、アルバムの６ページ目と７ページ目の編集画面を示しているが、ページ毎に同様に編集作業を行って所望のアルバムを作成する。ユーザは、例えば全ページに対する画像データの割り当て、文字データの入力作業を完了すると、図７中の「確認」ボタン７０３を押下する。
【００３７】
「確認」ボタン７０３が押下されると、図８に示す確認画面がＣＲＴ２０１上に表示される。図８中の「＜」ボタン８０１が押下されると左ページがめくられて４、５ページ目が表示され、「＞」ボタン８０２が押下されると右ページがめくられて８、９ページ目が表示される。「＜」、「＞」ボタン８０１、８０２の操作により作成したアルバムの全ページを確認することができ（ステップＳ３０５：確認工程）、問題がなければ、ユーザは「注文」ボタン８０３を押下する。
【００３８】
「注文」ボタン８０３が押下されると、それまでの編集結果が注文データとして生成され、ネットワークインタフェース２１１を介してサーバ１０１に送信される（ステップＳ３０６、ステップＳ３０７）。注文データの送信状況は、図９に示すように、図９の確認画面上に重畳して表示される。
【００３９】
また、注文データが送信される際には、ユーザによって入力された注文個人情報及びアルバムの配送先情報等が併せて送信される。注文個人情報には、例えば注文者名、注文冊数等が含まれる。
【００４０】
ところで、ユーザはステップＳ３０２〜ステップＳ３０５の任意の工程で編集処理を終了させることができる。処理を終了させた時点までに作成されたデータはＨＤＤ２０９内に保存され、当該アルバムの再編集を行いたい場合に、ＨＤＤ２０９内に保存されているデータが読み出され、再度ＣＲＴ２０１上に表示させて当該アルバムの再編集作業を行うことができる。尚、ステップＳ３０１の工程で処理を終了させた場合には、ステップＳ３０１では単に商品（ここでは、アルバム）が選択されたのみであるので、再編集のためにＨＤＤ２０９に保存すべきデータは存在せず、再編集の対象から外れる。
【００４１】
例えば、ステップＳ３０２の工程で処理を終了させた場合には、ステップＳ３０２で選択されたテンプレートデータがＨＤＤ２０９内に保存されるとともに、当該アルバムのＩＤとテンプレートデータの名称等が対応付けられて、図４に示すような操作状態管理テーブルに登録される。尚、図４に示す操作状態管理テーブルには、後述のステップＳ３０３〜ステップＳ３０５で終了させた場合に登録される情報のみを示している。
【００４２】
ステップＳ３０３の工程で処理を終了させた場合には、ステップＳ３０２で選択されたテンプレートデータ及びステップＳ３０３で選択された画像データがＨＤＤ２０９内に保存されるとともに、当該アルバムのＩＤ（図４では、"０００３"）、ステップＳ３０２で選択されたテンプレートデータの名称（図４では、"クラシック１"）、処理を終了させた日時（図４では、"2004/5/13"）及び処理を終了させた時点の操作状態である画像選択工程を示す"画像選択"が対応付けられて図４の操作状態管理テーブルに登録される。
【００４３】
ステップＳ３０４の工程で処理を終了させた場合には、ステップＳ３０２で選択されたテンプレートデータ、ステップＳ３０３で選択された画像データ、及び、ステップＳ３０４で編集を終了させた時点までに生成された編集データがＨＤＤ２０９内に保存されるとともに、当該アルバムのＩＤ（図４では、"０００１"）、ステップＳ３０２で選択されたテンプレートデータの名称（図４では、"クラシック１"）、処理を終了させた日時（図４では、"2004/5/13"）及び処理を終了させた時点の操作状態である編集工程を示す"編集"が対応付けられて図４の操作状態管理テーブルに登録される。
【００４４】
ステップＳ３０５の工程で処理を終了させた場合には、ステップＳ３０２で選択されたテンプレートデータ、ステップＳ３０３で選択された画像データ、及び、ステップＳ３０４の編集工程を経て作成され、ステップＳ３０５の確認作業が終了した時点の編集データがＨＤＤ２０９内に保存されるとともに、当該アルバムのＩＤ（図４では、"０００２"）、ステップＳ３０２で選択されたテンプレートデータの名称（図４では、"クラシック１"）、処理を終了させた日時（図４では、"2004/5/13"）及び処理を終了させた時点の操作状態である確認工程を示す"確認"が対応付けられて図４の操作状態管理テーブルに登録される。
【００４５】
次に、ユーザがアルバムの再編集処理を行う場合におけるユーザ端末１０２の動作について、図１１のフローチャートを参照しながら説明する。ユーザ端末１０２は、ユーザからのアルバム再編集処理の指示を受けて、図４の操作状態管理テーブルの例えば先頭レコードから順次レコードを参照し、参照する各レコードについて以下の処理を繰り返し実行する。
【００４６】
先ず、ＣＰＵ２０６は、いま処理対象となっているレコードを参照し、そのレコードの操作状態項目に、テンプレート選択工程を示す"テンプレート選択"が登録されているか否かを判断する（ステップＳ１１０１、ステップＳ１１０２）。当該操作状態項目に"テンプレート選択"が登録されている場合には、ＣＰＵ２０６は、図１２に示すアイコン作成テーブルを参照し、"デザイン選択中"の文字情報を含むアイコン画像を作成する（ステップＳ１１０３）。また、当該レコード内に登録される更新日、テンプレート名称及びアルバムＩＤを読み出し、作成したアイコン画像と、更新日、テンプレート名称及びアルバムＩＤとを対応付けてＲＡＭ２０８内に記録させる（ステップＳ１１０７）。一方、当該レコード内の操作状態項目に"テンプレート選択"が登録されていない場合には、処理はステップＳ１１０４に移行する。
【００４７】
ステップＳ１１０４では、ＣＰＵ２０６は、当該レコード内の操作状態項目に画像選択工程を示す"画像選択"が登録されているか否かを判断する（ステップＳ１１０４）。当該操作状態項目に"画像選択"が登録されている場合には、ＣＰＵ２０６は、図１２に示すアイコン作成テーブルを参照し、"画像選択中"の文字情報を含むアイコン画像を作成する（ステップＳ１１０５）。また、当該レコード内に登録される更新日、テンプレート名称及びアルバムＩＤを読み出し、作成したアイコン画像と、更新日、テンプレート名称及びアルバムＩＤとを対応付けてＲＡＭ２０８内に記録させる（ステップＳ１１０７）。一方、当該レコード内の操作状態項目に"画像選択"が登録されていない場合には、処理はステップＳ１１０６に移行する。
【００４８】
ステップＳ１１０６に処理を移行すると、当該レコード内の操作状態項目に登録されている情報は、"テンプレート選択"及び"画像選択"以外の編集工程を示す"編集"又は確認工程を示す"確認"であるため、ＣＰＵ２０６は、図１２に示すアイコン作成テーブルを参照し、編集工程において表紙画像として選択された画像データを含む当該アルバムの表紙のアイコン画像を作成する。また、当該レコード内に登録される更新日、テンプレート名称及びアルバムＩＤとを読み出し、作成したアイコン画像と、更新日、テンプレート名称及びアルバムＩＤとを対応付けてＲＡＭ２０８内に記録させる（ステップＳ１１０７）。以上の処理を図４の操作状態管理テーブル内の各レコードについて繰り返し実行する（ステップＳ１１０８、ステップＳ１１０９）。
【００４９】
以上の処理によりＲＡＭ２０８内に記録された情報（アイコン画像、更新日、テンプレート名称等）は、ＶＲＡＭ２０２に読み込まれ、ＣＲＴ２０１上において図１３に示すような再編集処理の対象となるアルバム（ファイル）の選択画像が表示される。この表示処理の際には、例えばアイコン画像の種類（編集処理の終了時点の操作状態）に基づくソートを行って、ユーザが再編集処理を開始させるときに各アルバムの作業進捗状況を容易に識別できるようにすることも可能である。
【００５０】
上記のように、本実施形態によれば、ユーザがアルバムの再編集を行う際には、図１３に示すように各アルバムの作業（編集）段階がどの段階まで進んでいるのかアイコン画像等によって表示され、ユーザはその表示に基づき各アルバムの作業段階を把握することが可能となる。
【００５１】
ユーザは、アルバムの編集を行う際に対象となるアルバムを図１３に示す選択画面から選択する。対象となるアルバムが選択されると、前回編集処理を終了した時点から作業を開始させることが可能となる。例えば、図３のステップＳ３０２（テンプレート選択工程）後に処理が終了されたアルバムが再編集の対象として選択された場合には、ＨＤＤ２０９内に保存されている画像データからアルバムに掲載する画像データを選択するための画像選択工程（ステップＳ３０３）用の画面がＣＲＴ２０１上に表示され、ユーザは画像選択工程から作業を開始することができる。
【００５２】
例えば、図３のステップＳ３０３（画像選択工程）後に処理が終了されたアルバムが再編集の対象として選択された場合には、ステップＳ３０２及びステップＳ３０３で選択されたテンプレートデータ、画像データがＨＤＤ２０９から読み出されることにより図７の編集画面がＣＲＴ２０１上に表示され、ユーザはステップＳ３０４の編集工程から作業を開始することができる。
【００５３】
例えば、図３のステップＳ３０４（編集工程）後に処理が終了されたアルバムが再編集の対象として選択された場合には、編集工程によって作成された編集データがＨＤＤ２０９から読み出されることにより図８の確認画面がＣＲＴ２０１上に表示され、ユーザはステップＳ３０５の確認工程から作業を開始することができる。
【００５４】
次に、図５のフローチャートを参照しながら、サーバ１０１の動作について説明する。
サーバ１０１は、ユーザ端末から注文データ、注文個人情報等を受信すると、今回の注文に対応付けて注文者名、注文冊数等を登録し、続いてアルバムの配送先の設定処理を行う（ステップＳ５０１〜ステップＳ５０３）。
【００５５】
サーバ１０１は、当該アルバムの配送先の設定処理を行った後、今回の注文に関する決済処理をユーザ端末１０２との間で行い（ステップＳ５０４）、決済処理が完了すると、当該注文データに関するプリント処理を委託するプリント業者の設定を行う。このプリント業者の設定に際しては、注文されたアルバムの種類、アルバムの届け先までの距離等を踏まえて最適なプリント業者が設定される。
【００５６】
次に、サーバ１０１は、注文データ、注文個人情報及び配送先情報を上記設定したプリント業者のプリントサイト（例えば１０３）に送信する（ステップＳ５０５）。当該注文データを受信したプリントサイト１０３のプリント業者は、注文データに基づく印刷処理を行い、指定された注文冊数分のアルバムを作成し、配送先情報に示される配送先に作成したアルバムを送付する。
【００５７】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５８】
この場合、記憶媒体から読み出されたプログラムコード自体が前述した実施形態の機能を実現することになり、プログラムコード自体及びそのプログラムコードを記憶した記憶媒体は本発明を構成することになる。
【００５９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６０】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００６１】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００６２】
【図１】本発明の一実施形態に係るプリントシステムの概略構成を示す図である。
【図２】サーバのハードウェア構成を示す図である。
【図３】ユーザ端末の動作を示すフローチャートである。
【図４】操作状態管理テーブルの一例を示す図である。
【図５】サーバの動作を示すフローチャートである。
【図６】テンプレート選択画面の一例を示す図である。
【図７】編集画面の一例を示す図である。
【図８】確認画面の一例を示す図である。
【図９】確認画面上に注文データの送信状況を示す情報を重畳させた画面構成例を示す図である。
【図１０】画像データ割り付けテーブルの構成を示す図である。
【図１１】ユーザがアルバムの再編集処理を行う場合におけるユーザ端末の動作を示すフローチャートである。
【図１２】アイコン作成テーブルの構成を示す図である。
【図１３】再編集処理の対象となるアルバムを選択するための画面を示す図である。
【図１４】レイアウトファイルの構成を示す図である。
【符号の説明】
【００６３】
１０１  サーバ
１０２  ユーザ端末
１０３〜１０５  プリントサイト
１０１１  テンプレート保持部
１０１２  管理情報データベース
１０１３  シェアリング部
１０１４  オーダ管理部
１０１５  課金処理部
１０１６  決済処理部
１０２１  テンプレート保持部
１０２２  アルバム編集アプリケーション
１０２３  ユーザデータ保持部
１０３１、１０４１、１０５１  データベース
１０３２、１０４２、１０５２  課金処理部
１０３３、１０４３、１０５３  印刷処理部
２０１  ＣＲＴ
２０２  ＶＲＡＭ
２０３  ＢＭＵ
２０４  キーボード
２０５  ＰＤ
２０６  ＣＰＵ
２０７  ＲＯＭ
２０８  ＲＡＭ
２０９  ＨＤＤ
２１０  ＦＤＤ
２１１  ＮＥＴＩ／Ｆ
【図１】
2006163938.tif 000003
【図２】
2006163938.tif 000004
【図３】
2006163938.tif 000005
【図４】
2006163938.tif 000006
【図５】
2006163938.tif 000007
【図６】
2006163938.tif 000008
【図７】
2006163938.tif 000009
【図８】
2006163938.tif 000010
【図９】
2006163938.tif 000011
【図１０】
2006163938.tif 000012
【図１１】
2006163938.tif 000013
【図１２】
2006163938.tif 000014
【図１３】
2006163938.tif 000015
【図１４】
2006163938.tif 000016